(57)【要約】　　　（修正有）【課題】開閉器の操作装置において、調整箇所を減らすことにより組立調整工数を大幅に低減できる構造を提供する。【解決手段】固定、可動接触子と、絶縁アームを取付けた駆動軸１０と、駆動軸１０を回動する電磁石と、一本ハンドル２４を有する操作軸２３と、操作軸２３に取付けられて回動しうるトリップレバー２８と、操作軸２３に固定された操作レバー２５と、操作レバー２５とトリップレバー２８間の駆動ばね２７と、操作レバー２５又はトリップレバー２８に回動される、駆動軸１０に固定された駆動レバー２０と、駆動軸１０を開放側に引戻す引戻しばね３９とを備え構成する。【選択図】図１
2004139887.tif 000002
【特許請求の範囲】
【請求項１】
開閉器容器と、前記容器に収納した固定接触子および可動接触子と、前記容器に支持され前記可動接触子を移動させる絶縁アームを取付けた駆動軸と、前記容器に支持されリンクレバーを介して前記駆動軸を回動する電磁石と、前記容器より突出した軸に一本ハンドルを取付けて前記容器に回動しうるように支持された操作軸と、前記操作軸に回動しうるように取付けたトリップレバーと、前記操作軸に固定した操作レバーと、前記操作レバーと前記トリップレバーとの間に圧架した駆動ばねと、前記操作レバーあるいは前記トリップレバーに回動される、前記駆動軸に固定された駆動レバーとを前記容器に回動しうるように取付け、一端に前記駆動レバーのラッチローラに係合する係合凹部を有し、他端に突出片を設けたラッチレバーと、前記駆動レバーの前記ラッチローラとこのラッチローラに係合する前記ラッチレバーの係合凹部との係合位置により前記可動接触子の接触深さを調整できるトリップレバーのストッパと、前記駆動レバーのピンに係合する係合面をそれぞれ有し、前記操作軸に固定した操作レバーと前記トリップレバーをそれぞれ係止するために容器に取付けたストッパと、前記駆動軸を開放側に引戻す引戻しばねとを備えたことを特徴とする開閉器の操作装置。
【発明の詳細な説明】
【０００１】
【発明の属する技術分野】
本発明は、手動もしくは電動の操作により可動接触子を固定接触子に嵌合接触させる開閉器の操作装置に関するものである。
【０００２】
【従来の技術】
従来のラッチ式の開閉器の操作装置は、図４および図５に示すように構成されている（たとえば特許文献１）。
図４において、１は容器で、この容器１の器壁にブッシング２、３が取付けられている。一方のブッシング２には、固定電極４が設けられ、この固定電極４に固定接触子５が取付けられている。前記固定接触子５を囲んで外周にアーク駆動コイル６を巻装したアークランナ７が設けられている。他方のブッシング３には、可動電極８が設けられ、この可動電極８上を摺動しうるように可動接触子９が設けられている。１０は駆動軸で、容器１に回動しうるように支持され、一端を可動接触子９に係合させた絶縁アーム１１が取付けられている。１２は電磁石で、コイル１３、固定鉄心１４、可動鉄心１５より構成されている。１６は可動鉄心１５に取付けた連結棒で、リンクレバー１８、１９を介して駆動軸１０に連結している。
図５において、２０は駆動軸１０に取付けられた駆動レバーで、板面にピン２１およびラッチローラ２２が設けられている。２３は容器１に回動しうるように取付けた操作軸で、一端を容器１の外部に突出させ、突出した部分に一本ハンドル２４を固定している。２５は操作軸２３に固定した操作レバーで、一端にピン２６を取付け、このピン２６に駆動ばね２７の一端を取付けている。２５ａは操作レバー２５に設けた係合面、２８は操作軸２３に回動しうるように取付けたトリップレバーで、板面にピン２９を取付け、このピン２９に前記駆動ばね２７の他端を取付けている。２８ａ、２８ｂは前記トリップレバー２８に設けた係合面である。３０は容器１にピン３１で回動しうるように取付けたラッチレバーで、一端に駆動レバー２０に取付けたラッチローラ２２に係合する係合部３２を設け、他端に突出片３３が設けられている。３４は一端を容器１に固定し、他端を前記ラッチレバー３０に圧架したばね、３７は容器１に取付けたトリップレバー２８のストッパ、３５、３６は容器１に取付けた操作レバー２５のストッパ、３８は容器１に固定した釈放用の電磁石で、この電磁石３８がラッチレバー３０の突出片３３を回動するように構成している。
つぎに、開閉器を手動操作で閉路する場合について説明する。
図５は、開閉器が開路している状態の操作装置の構成図である。この状態からハンドル２４を時計方向に回動すると、ハンドル２４と一体に操作レバー２５が時計方向に回動し、操作レバー２５に一端を取付けた駆動ばね２７を圧縮する。前記駆動ばね２７がデッドポイントに達すると図６に示す状態となる。前記ハンドル２４をさらに時計方向に回動すると、駆動ばね２７のばね力によりトリップレバー２８を反時計方向に回動する。前記トリップレバー２８が反時計方向に回動すると、トリップレバー２８の係合面２８ａが駆動レバー２０のピン２１に衝突する。前記係合面２８ａがピン２１を介して駆動レバー２０を時計方向に回動する。前記駆動レバー２０が時計方向に回動すると、この駆動レバー２０と一体に駆動軸１０を時計方向に回動して、この駆動軸１０に取付けた絶縁アーム１１を介して可動接触子９を固定接触子５に接触させて電路を閉路する。このとき、トリップレバー２８がストッパ３７に係止して、駆動レバー２０のラッチローラ２２はラッチレバー３０の係合凹部３２に係合しない位置に留まる。
また、駆動軸１０自身の慣性によりオーバシュートしてラッチローラ２２がラッチレバー３０の係合凹部３２と係合するのを防止するため、操作レバー２５に設けた係合面２５ａが駆動レバー２０を係止する。ここで、ラッチローラ２２を適正な位置に留めることができるようにストッパ３６及び３７には位置調節機能が付いている。図７は、開閉器の手動操作による閉路状態の操作装置の構成図である。
つぎに、開閉器を手動操作で開路する場合について説明する。開閉器が閉路している図７の状態からハンドル２４を反時計方向に回動すると、ハンドル２４と一体に操作レバー２５が反時計方向に回動し操作レバー２５に一端を取付けた駆動ばね２７を圧縮する。前記駆動ばね２７がデッドポイントに達すると図８に示す状態となる。前記ハンドル２４をさらに反時計方向に回動すると、駆動ばね２７のばね力によりトリップレバー２８が時計方向に回動し、トリップレバー２８の係合面２８ｂが駆動レバー２０のピン２１に衝接し、トリップレバー２８の係合面２８ｂがピン２１を介して駆動レバー２０を反時計方向に回動する。前記駆動レバー２０が反時計方向に回動すると、駆動レバー２０と一体に駆動軸１０が反時計方向に回動して、この駆動軸１０に取付けた絶縁アーム１１を介して可動接触子９を固定接触子５から開離して電路を開路する。図９は、開閉器が開路した状態の操作装置の構成図である。
つぎに、開閉器を電磁操作で閉路する場合について説明する。
図９に示す開閉器が開路している状態から図４に示す電磁石１２を励磁すると、可動鉄心１５が固定鉄心１４に吸引され、リンクレバー１８、１９を介して駆動軸１０を時計方向に回動する。前記駆動軸１０が時計方向に回動すると、この駆動軸１０に取付けた絶縁アーム１１を介して可動接触子９を固定接触子６に接触、嵌合するとともに、駆動軸１０に固定された駆動レバー２０のラッチローラ２２がラッチレバー３０の係合凹部３２に係合して、開閉器の閉路状態を保持する。図１０は、開閉器が電磁操作で閉路している状態を示す操作装置の構成図である。
つぎに、図１０に示す開閉器が閉路している状態から開閉器の開路操作について説明する。
釈放用の電磁石３８を励磁すると、電磁石３８の可動側が突出し、ラッチレバー３０の突出片３３を押圧してピン３１を支点にラッチレバー３０を反時計方向に回動する。前記ラッチレバー３０が反時計方向に回動するとラッチレバー３０の係合凹部３２が駆動レバー２０のラッチローラ２２から外れ、駆動レバー２０が駆動ばね２７のばね力によりトリップレバー２８の係合面２８ｂが駆動レバー２０のピン２１を介して駆動レバー２０を反時計方向に回動する。前記駆動レバー２０が反時計方向に回動すると、この駆動レバー２０と一体に駆動軸１０が反時計方向に回動して、この駆動軸１０に取付けた絶縁アーム１１を介して可動接触子９を固定接触子５から開離して電路を開路する。
【０００３】
【特許文献１】
特開平１１−３２９１６７号公報（図１）
【０００４】
【発明が解決しようとする課題】
ところが、従来のラッチ式の開閉器の操作装置は、手動操作の操作機構と電磁操作の操作機構とを同じ構成部品を用いて動作させている。このため、開閉器の操作装置を電磁操作で閉路したとき、この閉路状態を投入用電磁石が無励磁の場合でも保持できるようにラッチ機構を用いている。しかしながら、手動投入操作のときこのラッチ機構が働くと、可動電極の開路動作が不可能になる。このため、手動投入時にラッチしないようにラッチローラを位置決めするため、操作レバとトリップレバの調整可能なストッパがそれぞれ必要である。この２つのストッパは互いに関連があるので調整作業が複雑になり、また、調整時間も長くなる。本発明は、このような問題を解決するためになされたもので、調整時間を大幅に削減することができる開閉器の操作装置を提供することを目的とするものである。
【０００５】
【課題を解決するための手段】
上記問題を解決するため、本発明は、開閉器容器と、前記容器に収納した固定接触子および可動接触子と、前記容器に支持され前記可動接触子を移動させる絶縁アームを取付けた駆動軸と、前記容器に支持されリンクレバーを介して前記駆動軸を回動する電磁石と、前記容器より突出した軸に一本ハンドルを取付けて前記容器に回動しうるように支持された操作軸と、前記操作軸に回動しうるように取付けたトリップレバーと、前記操作軸に固定した操作レバーと、前記操作レバーと前記トリップレバーとの間に圧架した駆動ばねと、前記駆動軸に取付けられ、前記操作レバーあるいは前記トリップレバーに回動される駆動レバーとを前記容器に回動しうるように取付け、一端に前記駆動レバーのラッチローラに係合する係合凹部を有し、他端に突出片を設けたラッチレバーと、前記駆動レバーの前記ラッチローラとこのラッチローラに係合する前記ラッチレバーの係合凹部と係合しない位置に調整可能なトリップレバーのストッパと、前記操作軸に固定した操作レバーを係止するために容器に取付けた調整可能なストッパと、前記駆動軸を開放側に引戻す引戻しばねとを備えて開閉器の操作装置を構成するものである。
【０００６】
【発明の実施の形態】
以下、本発明の実施例を図に基づいて説明する。
本発明の基本的な全体構成は従来技術で示した図４と同じである。図１は本発明の実施例を示す開閉器開路状態の操作装置の構成図、図２は本発明の開閉器デッドポイント位置の操作装置構成図、図３は本発明の実施例を示す開閉器を手動操作によって閉路した状態の操作装置構成図である。
図１ないし図４において、１は容器で、この容器１の器壁にブッシング２、３が取付けられている。一方のブッシング２には、固定電極４が設けられ、この固定電極４に固定接触子５が取付けられている。前記固定接触子５を囲んで外周にアーク駆動コイル６を巻装したアークランナ７が設けられている。他方のブッシング３には、可動電極８が設けられ、この可動電極８上を摺動しうる可動接触子９が設けられている。１０は駆動軸で、容器１に回動しうるように支持されている。１１は絶縁アームで、一端を前記駆動軸９に取付け、他端を可動接触子９に係合させ、可動接触子９を固定接触子５に接触、開離するように公正してある。１２は電磁石で、コイル１３、固定鉄心１４、可動鉄心１５より構成されている。１６は可動鉄心１５に取付けた連結棒で、可動接触子９を可動できるようにしている。１８はリンクレバーで、一端を前記連結棒１６に連結し、他端をリンクレバー１９で介して駆動軸１０に連結している。２０は駆動軸１０に取付けられた駆動レバーで、板面にピン２１およびラッチローラ２２が取付けてある。２３は容器１に回動しうるように取付けた操作軸で、一端を容器１の外部に突出させ、突出した部分に一本ハンドル２４を固定している。２５は操作軸２３に固定した操作レバーで、一端にピン２６を取付け、このピン２６に駆動ばね２７の一端を取付けている。２８は操作軸２３に回動しうるように取付けたトリップレバーで、板面にピン２９を取付け、このピン２９に前記駆動ばね２７の他端を取付けている。２８ａ、ｂはトリップレバー２８に設けた係合面、３０は容器１にピン３１により回動しうるように取付けたラッチレバーで、一端に前記駆動レバー２０のラッチローラ２２に係合する係合凹部３２を設け、他端に突出片３３が設けられている。３４は一端を容器１に固定し、他端を前記ラッチレバー３０に張架したばね、３５、３６は容器１に取付けた操作レバー２５のストッパー、３７は容器１に取付けたトリップレバー２８のストッパ、３８は釈放用電磁石で、容器１に取付け、ラッチレバー３０の突出片３３を駆動する、３９は一端を容器１に固定し、駆動軸１０に張架した引戻しばねで、駆動軸１０を開放側に引戻すように設けられている。
つぎに、開閉器を手動操作で閉路する場合について説明する。
図１は、開閉器が開路している状態の操作装置の構成図である。この状態からハンドル２４を時計方向に回動すると、ハンドル２４と一体に操作レバー２５が時計方向に回動し、操作レバー２５に一端を取付けた駆動ばね２７を圧縮する。前記駆動ばね２７がデッドポイントに達すると図２に示す状態となる。前記ハンドル２４をさらに時計方向に回動すると、駆動ばね２７のばね力によりトリップレバー２８を反時計方向に回動する。前記トリップレバー２８が反時計方向に回動すると、トリップレバー２８の係合面２８ａが駆動レバー２０のピン２１に衝突する。前記係合面２８ａがピン２１を介して駆動レバー２０を時計方向に回動する。前記駆動レバー２０が時計方向に回動すると、この駆動レバー２０と一体に駆動軸１０を時計方向に回動して、この駆動軸１０に取付けた絶縁アーム１１を介して可動接触子９を固定接触子５に接触させて電路を閉路する。このとき、トリップレバー２８がストッパ３７に係止して、駆動レバー２０のラッチローラ２２はラッチレバー３０の係合凹部３２に係合しない。また、駆動軸１０自身の慣性によりオーバシュートしてラッチローラ２２がラッチレバー３０の係合凹部３２と係合するのを防止するため、一端を容器１に固定し、駆動軸１０に張架した引戻しばね３９が、駆動軸１０を開放側に引戻す。ここで、ラッチローラ２２を適正な位置に留めることができるようにストッパ３７には位置調節機能が付いている。図３は、開閉器の手動操作による閉路状態の操作装置の構成図である。開閉器を手動操作で開路する場合及び開閉器を電磁操作で閉路する場合については、従来の技術と同様なので説明を省略する。
このように、ラッチローラ２２を適正な位置に留めるために必要な調整作業がストッパ３７の部分だけですむので、従来の操作機構より、調整作業時間を大幅に短縮することができる。
【０００７】
【発明の効果】
以上述べたように、本発明によれば、開閉器の主接触子を駆動制御する開閉器の操作装置において、特に一本ハンドルによる手動投入操作時に投入状態でラッチローラがラッチしないように調整するための時間を、大幅に短縮することが可能な開閉器の操作装置を提供することができる。
【図面の簡単な説明】
【図１】本発明の実施例における開閉器の開路状態の操作装置を示す構成図である。
【図２】本発明の実施例における操作装置の閉路操作時のデッドポイント位置を示す構成図である。
【図３】本発明の実施例における開閉器の操作装置の手動操作による閉路状態を示す構成図である。
【図４】本発明および従来技術における開閉器の全体構成を示す側断面図である。
【図５】従来技術における開閉器の開路状態の操作装置を示す構成図である。
【図６】従来技術における開閉器の操作装置の閉路操作時のデッドポイント位置を示す構成図である。
【図７】従来技術における開閉器の操作装置の手動操作による閉路状態を示す構成図である。
【図８】従来技術における開閉器の操作装置の開路操作時のデッドポイント位置を示す構成図である。
【図９】従来技術における開閉器の操作装置の手動操作による開路状態を示す構成図である。
【図１０】従来技術における開閉器の操作装置の電磁操作による閉路状態を示す構成図である。
【符号の説明】
１　容器
２、３　ブッシング
４　固定電極
５　固定接触子
６　アーク駆動コイル
７　アークランナ
８　可動電極
９　可動接触子
１０　駆動軸
１１　絶アーム
１２　電磁石
１３　コイル
１４　固定鉄心
１５　可動鉄心
１６　連結棒
１８，１９　リンクレバー
２０　駆動レバー
２１　ピン
２２　ラッチローラ
２３　操作軸
２４　一本ハンドル
２５　操作レバー
２５ａ　係合面
２６　ピン
２７　駆動ばね
２８　トリップレバー
２８ａ，２８ｂ　　係合面
２９　ピン
３０　ラッチレバー
３１　ピン
３２　係合凹部
３３　突出片
３４　ばね
３５，３６，３７　ストッパー
３８　電磁石
３９　引戻しばね
【図１】
2004139887.tif 000003
【図２】
2004139887.tif 000004
【図３】
2004139887.tif 000005
【図４】
2004139887.tif 000006
【図５】
2004139887.tif 000007
【図６】
2004139887.tif 000008
【図７】
2004139887.tif 000009
【図８】
2004139887.tif 000010
【図９】
2004139887.tif 000011
【図１０】
2004139887.tif 000012